(57)【要約】  【課題】  通信装置に内蔵や装着等された非接触通信部を、ＰＣ等の外部装置により外部インタフェースを介して簡単かつ迅速に制御可能にする。  【解決手段】  第１の通信部７と外部インタフェース２０との間、及び第２の通信部４と非接触ＩＣカード部１０との間に切替えスイッチ３０、３１、３２を設け、外部インタフェース２０と非接触ＩＣカード部１０とを接続する非接触通信部接続モードに切り替え可能とする。外部装置５０から外部インタフェース２０に非接触ＩＣカード部１０へアクセスするためのシリアルコマンドが入力されると、切替スイッチ３０〜３２が切り替わって非接触通信部接続モードとなり、外部インタフェース２０と非接触ＩＣカード部１０とが通信処理部１００を迂回して信号線１２０、１３０を介し直接接続され、外部装置５０から通信処理部１００を介さずに直接非接触ＩＣカード部１０を制御可能となる。【選択図】  図１
2005079964.tif 000002
【特許請求の範囲】
【請求項１】
他の通信装置との間で通信を行う通信装置であって、
非接触通信によりデータ通信を行う非接触通信部と、前記非接触通信部を含む装置内の通信処理を行う通信処理部と、外部装置を接続可能な外部インタフェースとを備え、
前記外部インタフェースと前記非接触通信部とを前記通信処理部を迂回して接続する非接触通信部接続モードを備える通信装置。
【請求項２】
請求項１記載の通信装置であって、
前記外部インタフェースと前記非接触通信部との間の信号系路を切り替える切替え手段を備え、
前記切替え手段は、前記外部インタフェースと前記非接触通信部とを前記通信処理部を迂回して接続する非接触通信部接続モードと、前記外部インタフェースと前記非接触通信部とを前記通信処理部を介して接続する非接触通信部解除モードとを切り替える通信装置。
【請求項３】
請求項２記載の通信装置であって、
前記切替え手段は、前記外部インタフェースからのシリアルコマンドに基づく前記通信処理部の処理により、前記非接触通信部接続モードに切り替える通信装置。
【請求項４】
請求項２記載の通信装置であって、
前記切替え手段は、前記外部インタフェースからの切替え信号により、前記非接触通信部接続モードに切り替える通信装置。
【発明の詳細な説明】
【技術分野】
【０００１】
本発明は、他の通信装置との間で通信を行うと共に、内蔵や装着等された非接触ＩＣカード部に対しデータ通信が可能で、さらに、外部インタフェースを介してＰＣ等の外部装置を接続可能な情報端末装置や携帯電話装置等に適用される通信装置に関する。
【背景技術】
【０００２】
ＧＳＭ、ＰＤＣ、ＣＤＭＡ等の各種無線通信方式を用いる携帯電話装置や通信機能を有する情報端末装置（ＰＤＡ）等の通信装置は、通信装置に用意された外部インタフェースにより外部のＰＣ（パーソナルコンピュータ）等と接続してデータのやり取り等を行えるようになっている。接続したＰＣ等では、通信装置の無線制御情報や電話帳の情報などを読み出したり書き込みをすることができる。
【０００３】
また、このような通信装置には、近年、非接触ＩＣカードが内蔵や装着等されて、非接触ＩＣカードとの間でデータを送受信できるように構成されたものがある（例えば、特許文献１、特許文献２参照）。
【０００４】
非接触ＩＣカードは、通常、外部からの情報の書き込み及び読み出しが可能なＩＣチップと、非接触通信により情報の書き込み及び読み出しを行うためのアンテナ等が内蔵され、専用の読書き装置（リーダ／ライタ装置）に近接させるだけで非接触で情報の書き込み及び読み出しを行うことができるように構成されている。このような非接触ＩＣカードは、交通機関等の改札口での乗車運賃精算、イベント等における来場者管理、自販機の料金精算、店での電子マネーによる料金精算などでは、非接触ＩＣカード単独でも動作してリーダ／ライタ装置との間でデータ通信を行い、認証や決済等の処理が可能である。
【０００５】
また、このような非接触ＩＣカードを内蔵や装着等した通信装置では、非接触ＩＣカードの残高の確認等をするためにユーザがキーボタンを操作入力して、非接触ＩＣカードの残高をディスプレイに表示等することが可能となっている。さらに、ＰＣ等の外部装置をこの通信装置に接続して、外部装置によって非接触ＩＣカードに初期設定等のデータを書き込んだり、読み出すことも可能である。
【０００６】
しかしながら、従来の通信装置では、非接触ＩＣカードが内蔵や装着等された場合、ＰＣ等の外部装置から直接非接触ＩＣカードを制御できないため、例えば工場出荷時などに非接触ＩＣカードを使用可能にするために動作パラメータや製造番号などを書き込む場合などに、非接触ＩＣカードに対するデータの書き込みや読み出しに時間がかかることがあった。
【０００７】
つまり、通信装置に接続されたＰＣ等の外部装置が非接触ＩＣカードに対してデータの書き込みを行う場合には、一旦通信装置が外部インタフェースを介してデータを取り込んでメモリに記憶しておき、このデータを非接触ＩＣカードに対して書き込む処理が行われる。また、データの読み出しを行う場合には、非接触ＩＣカードに格納されたデータを一旦通信装置が読み取ってメモリに記憶しておき、このデータを外部インタフェースを介して読み出す処理が行われる。このように外部装置からデータの書き込み、読み出しを行うには２段階の処理が必要であるため、非接触ＩＣカードに対する設定等に用いるデータの読み出しや書き込みに時間がかかり、効率が悪かった。
【０００８】
また、非接触ＩＣカードの設定を新規に行ったり設定変更を行うためには、非接触ＩＣカードの機能設定を追加するため通信装置のプログラム用ＲＯＭを変更しなくてはならず、ＲＯＭの変更、確認と動作確認に非常に時間がかかることもあった。さらに、例えば、非接触ＩＣカードを動作させる全ての機能設定を外部インタフェースを介して行う場合、通信装置のプログラム用ＲＯＭに多くのデータを格納するための記憶容量が必要であり、また、プログラム開発時間も増えるため、コストもかかり非効率である。
【０００９】
【特許文献１】特開２００２−２４７１５７号公報（図１、図２、図７）
【特許文献２】特開２００２−３５１６２３号公報（図１〜図６）
【発明の開示】
【発明が解決しようとする課題】
【００１０】
本発明は、上記事情に鑑みてなされたもので、通信装置に内蔵や装着等された非接触通信部を、ＰＣ等の外部装置により外部インタフェースを介して簡単かつ迅速に制御することが可能な通信装置を提供することを目的とする。
【課題を解決するための手段】
【００１１】
本発明の通信装置は、他の通信装置との間で通信を行う通信装置であって、非接触通信によりデータ通信を行う非接触通信部と、前記非接触通信部を含む装置内の通信処理を行う通信処理部と、外部装置を接続可能な外部インタフェースとを備え、前記外部インタフェースと前記非接触通信部とを前記通信処理部を迂回して接続する非接触通信部接続モードを備えるものである。
【００１２】
この構成により、非接触通信部接続モードの場合には、外部インタフェースと非接触通信部とが通信処理部を迂回して接続されるため、ＰＣ等の外部装置を外部インタフェースに接続して、通信装置に内蔵、装着等された非接触通信部に通信処理部を介さずに外部装置から直接アクセスし、簡単かつ迅速に制御することが可能となる。
【００１３】
また、本発明の一態様として、上記の通信装置であって、前記外部インタフェースと前記非接触通信部との間の信号系路を切り替える切替え手段を備え、前記切替え手段は、前記外部インタフェースと前記非接触通信部とを前記通信処理部を迂回して接続する非接触通信部接続モードと、前記外部インタフェースと前記非接触通信部とを前記通信処理部を介して接続する非接触通信部解除モードとを切り替えるものも含まれる。
【００１４】
この構成により、切替え手段によって外部インタフェースと非接触通信部との間の信号系路を切り替えることで、非接触通信部接続モードと非接触通信部解除モードとを切り替えることが可能である。非接触通信部接続モードの場合には、ＰＣ等の外部装置から非接触通信部を直接制御することが可能であり、非接触通信部解除モードの場合には、外部装置と通信処理部との間でデータ等をやり取りしたり、外部装置から通信処理部を介して非接触通信部を制御することが可能となる。
【００１５】
また、本発明の一態様として、上記の通信装置であって、前記切替え手段は、前記外部インタフェースからのシリアルコマンドに基づく前記通信処理部の処理により、前記非接触通信部接続モードに切り替えるものも含まれる。
【００１６】
この構成では、外部インタフェースからのシリアルコマンドに基づき、通信処理部の処理によって切替え手段の切替制御を行い、非接触通信部接続モードに切り替えることができるため、外部インタフェースのハードウェア構成を追加することなく、簡単に動作モードの切り替えを行うことが可能である。
【００１７】
また、本発明の一態様として、上記の通信装置であって、前記切替え手段は、前記外部インタフェースからの切替え信号により、前記非接触通信部接続モードに切り替えるものも含まれる。
【００１８】
この構成では、外部インタフェースからの切替え信号によって切替え手段の切替制御を行い、非接触通信部接続モードに切り替えることができるため、通信処理部の処理を介さずに迅速に動作モードの切り替えを行うことが可能である。
【発明の効果】
【００１９】
本発明によれば、通信装置に内蔵や装着等された非接触通信部を、ＰＣ等の外部装置により外部インタフェースを介して簡単かつ迅速に制御することが可能な通信装置を提供できる効果を有する。
【発明を実施するための最良の形態】
【００２０】
本実施形態では、通信装置の一例として携帯電話装置に適用した構成例を説明する。
（第１の実施形態）
図１は、本発明の第１の実施形態に係る携帯電話装置の構成を示す図である。本実施形態の携帯電話装置は、図示しない無線通信部によって、移動体通信システムの基地局等の他の通信装置との間で無線通信を行い、音声やデータの送受信を行う通信機能を有している。また、この携帯電話装置は、近接型または近距離型の非接触通信によりデータの書き込み、読み出し等が可能なＩＣ等を含む非接触通信部の一例に相当する非接触ＩＣカード部１０を筐体内に備えている。
【００２１】
そして、各種処理を行うプロセッサからなる制御処理部（ＣＰＵ）１、制御処理部１のプログラムや固定データ等を記憶するメモリであるＲＯＭ２、制御処理部１の処理動作中に任意にデータを読み書きする作業用メモリであるＲＡＭ３を備えている。また、この携帯電話装置をＰＣ（パーソナルコンピュータ）等の外部装置５０から制御する信号等をパラレル／シリアル変換する第１の通信部（ＵＡＲＴ１、ＵＡＲＴ：Universal Asynchronous Receiver Transmitter ）７、非接触ＩＣカード部１０を制御する信号等をパラレル／シリアル変換する第２の通信部（ＵＡＲＴ２）４、操作部２２及び表示部２１との間で信号をやり取りするキー／ディスプレイインタフェース（ＫＥＹ／ＬＣＤ  ＩＦ）５、外部インタフェース２０との間で信号をやり取りする入出力ポート（ＰＩＯ：Programmed I/O）６を備えている。
【００２２】
上記制御処理部１、ＲＯＭ２、ＲＡＭ３、第２の通信部４、キー／ディスプレイインタフェース５、入出力ポート６、第１の通信部７は、内部バス８を介して接続されており、これらを含む装置内の通信処理を行うものを通信処理部１００と呼ぶことにする。
【００２３】
キー／ディスプレイインタフェース５には、入力用の操作キー等からなる操作部２２と、液晶ディスプレイ（ＬＣＤ）等からなる表示部２１とが接続されている。第２の通信部４には、切替えスイッチ３０、３１を介してこの携帯電話装置に内蔵された非接触ＩＣカード部１０の送信データ端子（ＳＤ）および受信データ端子（ＲＤ）が接続されている。第１の通信部７には、ＰＣ等の外部装置５０と接続するための外部インタフェース２０のシリアルデータ入力端子（ＳＤＩＮ）が直接接続されるとともに、外部インタフェース２０のシリアルデータ出力端子（ＳＤＯＵＴ）が切替えスイッチ３２を介して接続されている。
【００２４】
切替えスイッチ３０、３１、３２は、切替え手段の一例に相当するもので、それぞれのスイッチの制御端子Ｓに切替制御を行うスイッチ切替え信号用の信号線１１０が接続されている。また、切替えスイッチ３０のＡ側の切替端子と切替えスイッチ３２のＡ側の切替端子とが信号線１３０により接続されている。切替えスイッチ３０のＢ側の切替端子は第２の通信部４に接続され、共通端子が非接触ＩＣカード部１０の送信データ端子（ＳＤ）と接続されている。さらに、切替えスイッチ３１のＡ側の切替端子と外部インタフェース２０のシリアルデータ入力端子（ＳＤＩＮ）とが信号線１２０により接続されている。切替えスイッチ３１のＢ側の切替端子は第２の通信部４に接続され、共通端子が非接触ＩＣカード部１０の受信データ端子（ＲＤ）と接続されている。切替えスイッチ３２のＢ側の切替端子は第１の通信部７に接続され、共通端子が外部インタフェース２０のシリアルデータ出力端子（ＳＤＯＵＴ）と接続されている。信号線１１０、１２０、１３０は、共に通信処理部１００の外部に設けられている。
【００２５】
外部インタフェース２０としては、シリアルインタフェース、ＵＳＢ（Universal Serial Bus）インタフェース等の有線接続のインタフェースや、赤外線通信インタフェース、無線ＬＡＮインタフェース等の無線接続のインタフェース、メモリカードスロットインタフェースなどを用いることができる。
【００２６】
この携帯電話装置では、後述する非接触通信部接続モード、非接触通信部解除モード等の動作モードにかかわらず、通信処理部１００により図示しない無線通信部を介して基地局との間で無線通信を行い、音声通話やデータ通信等が可能であるとともに、非接触ＩＣカード部１０により図示しない外部の読取り装置（リーダ／ライタ装置）との間で非接触型のデータ通信を行い、決済処理等を行うことができる。非接触ＩＣカード部１０は、例えば交通機関の改札等において運賃の精算を行ったり、店のレジ等において料金の支払いを行ったりすることが可能である。
【００２７】
次に、上記のように構成された第１の実施形態の携帯電話装置における動作を説明する。まず、通常状態である非接触通信部解除モードについて説明する。この場合、各切替えスイッチ３０、３１、３２の切替端子がＢ接点側に接続される。そして、外部インタフェース２０のシリアルデータ入力端子（ＳＤＩＮ）が直接第１の通信部７と接続されるとともに、シリアルデータ出力端子（ＳＤＯＵＴ）が切替えスイッチ３２を介して第１の通信部７に接続される。このため、外部インタフェース２０に接続されたＰＣ等の外部装置５０は、第１の通信部７を介し制御処理部１を有する通信処理部１００と接続されることになり、外部装置５０は外部インタフェース２０を介して通信処理部１００との間でデータ通信が可能となる。
【００２８】
一方、非接触ＩＣカード部１０の送信データ端子（ＳＤ）及び受信データ端子（ＲＤ）は、それぞれ切替えスイッチ３０、３１を介して第２の通信部４と接続される。このため、非接触ＩＣカード部１０は第２の通信部４を介して通信処理部１００と接続されることになり、通信処理部１００が非接触ＩＣカード部１０との間でデータやコマンドのやり取りを行い、非接触ＩＣカード部１０の設定やデータ書き込みなどの制御を行うことが可能となる。
【００２９】
したがって、非接触通信部解除モードの場合には、外部インタフェース２０に接続された外部装置５０より、非接触ＩＣカード部１０に対しデータの書き込みや読み出し、設定等を行うようにすると、第１の通信部７、通信処理部１００、第２の通信部４を介して非接触ＩＣカード部１０へアクセスすることになる。この場合、通信処理部１００による処理が介在し、非接触ＩＣカード部１０に対して外部装置５０から直接制御することはできない。
【００３０】
携帯電話装置の設計段階での評価解析、工場での製造工程、サービス部門での修理などにおいて、外部装置によって非接触ＩＣカード部に対しデータの書き込みや読み出し、設定等を行うことがある。具体的には、例えば以下のような場合がある。
【００３１】
（１）工場やサービスセンターでの非接触ＩＣカード部に関する出荷処理を行う場合。例えば、非接触ＩＣカード部を使用できるように動作パラメータ、製造番号、などを書き込む等の処理を行う場合。
【００３２】
（２）携帯電話装置と非接触ＩＣカード部を組み合わせて実験、評価のために使用する場合。例えば、携帯電話装置を送信状態にして、非接触ＩＣカード部を動作させ、非接触ＩＣカード部の通信距離と携帯電話送信出力の関係を測定したり、非接触ＩＣカード部上のマイクロコンピュータを動作状態にさせ、携帯電話装置の受信状態を観測（受信感度劣化測定）をしたりするために使用する場合。
【００３３】
（３）工場の工程試験において、非接触ＩＣカード部の部品不良や実装不良確認のための動作試験や非接触ＩＣカード部の組み込み確認、組み込み忘れ防止のために使用する場合。
【００３４】
（４）携帯電話装置のＣＰＵを含む制御処理部と非接触ＩＣカード部の回路を同じモジュール内に１モジュール化した場合や、それらを１チップＬＳＩに内蔵した場合、試験回路として使用する場合。
【００３５】
このような場合には、外部装置から直接非接触ＩＣカード部に対してアクセスしてデータの書き込み等が行えると便利であり、手間や時間の短縮になる。
【００３６】
本実施形態では、外部装置５０が非接触ＩＣカード部１０に対しデータの書き込みや読み出し、設定等を行う際に、外部装置５０からの制御コマンドによって切替えスイッチ３０、３１、３２を切り替えることで信号経路を切り替え、携帯電話装置を非接触通信部接続モードに切り替えることが可能である。
【００３７】
作業者が外部インタフェース２０に外部装置５０を接続し、非接触ＩＣカード部１０に対しデータの書き込みや読み出し等を行うための操作を行うと、外部装置５０から制御コマンドとして非接触通信部接続モードへのモード切替コマンドが出力される。このモード切替コマンドは、シリアルコマンドとして外部インタフェース２０に入力され、シリアルデータ入力端子（ＳＤＩＮ）から第１の通信部７へ送信される。第１の通信部７は、入力されたシリアルデータのモード切替コマンドをパラレルデータのコマンドに変換する。
【００３８】
このとき、制御処理部１は、内部バス８を介して第１の通信部７や第２の通信部４を制御し、これらの通信部で送受信されるコマンドやデータを読み取る。この場合、制御処理部１は、第１の通信部７に入力されたモード切替コマンドを読み取り、非接触ＩＣカード部１０に直接アクセス可能な非接触通信部接続モードに切り替えるため、入出力ポート６よりスイッチ切替え信号ＰＳＷを出力し、信号線１１０をＬ（ローレベル）からＨ（ハイレベル）に切り替える。
【００３９】
これにより、信号線１１０を介し切替スイッチ３０、３１、３２の制御端子Ｓに供給されるスイッチ切替え信号ＰＳＷがＬからＨになり、各切替えスイッチ３０、３１、３２の切替端子がＢ接点側からＡ接点側に切り替わり、非接触通信部接続モードになる。
【００４０】
ここで、非接触通信部接続モードの動作について説明する。非接触通信部接続モードでは、外部インタフェース２０のシリアルデータ入力端子（ＳＤＩＮ）が第１の通信部７とともに切替えスイッチ３１を介して非接触ＩＣカード部１０の受信データ端子（ＲＤ）に接続され、シリアルデータ出力端子（ＳＤＯＵＴ）が切替えスイッチ３２、３０を介して非接触ＩＣカード部１０の送信データ端子（ＳＤ）に接続される。
【００４１】
この場合、外部装置５０から外部インタフェース２０に入力されてシリアルデータ入力端子（ＳＤＩＮ）より送信されるデータは、信号線１２０、切替スイッチ３１のＡ接点を経由して非接触ＩＣカード部１０の受信データ端子（ＲＤ）へ受信データとして入力される。つまり、非接触ＩＣカード部１０への受信データは、第１の通信部７、通信処理部１００、第２の通信部４を迂回する信号線１２０、切替スイッチ３１を経由して非接触ＩＣカード部１０へ伝送される。
【００４２】
また、非接触ＩＣカード部１０の送信データ端子（ＳＤ）より送信される送信データは、切替スイッチ３０のＡ接点、信号線１３０、切替スイッチ３２のＡ接点を経由して、外部インタフェース２０のシリアルデータ出力端子（ＳＤＯＵＴ）に入力され、外部装置５０へ送信される。つまり、非接触ＩＣカード部１０からの送信データは、第２の通信部４、通信処理部１００、第１の通信部７を迂回する切替スイッチ３０、信号線１３０、切替スイッチ３２を経由して外部インタフェース２０へ伝送される。
【００４３】
したがって、外部インタフェース２０に接続された外部装置５０は、通信処理部１００における処理を介さずに、直接非接触ＩＣカード部１０にアクセスし、データの書き込み、読み出し、設定等を制御できることになる。
【００４４】
そして、作業者の終了操作等により、外部装置５０から制御コマンドとして非接触通信部解除モードへのモード切替コマンドが出力されると、このモード切替コマンドは、シリアルコマンドとして外部インタフェース２０に入力され、シリアルデータ入力端子（ＳＤＩＮ）から第１の通信部７へ送信される。なお、外部装置５０が外部インタフェース２０から取り外されて非接続状態になった場合も、同様に非接触通信部解除モードへのモード切替コマンドが出力されるようにしてもよい。
【００４５】
この場合、制御処理部１は、第１の通信部７に入力されたモード切替コマンドを読み取り、非接触ＩＣカード部１０への直接アクセスを解除する非接触通信部解除モードに切り替えるため、入出力ポート６より信号線１１０へ出力するスイッチ切替え信号ＰＳＷをＨからＬに切り替える。これにより、信号線１１０を介し切替スイッチ３０、３１、３２の制御端子Ｓに供給されるスイッチ切替え信号ＰＳＷがＨからＬになり、各切替えスイッチ３０、３１、３２の切替端子がＡ接点側からＢ接点側に切り替わり、非接触通信部解除モードになる。
【００４６】
なお、外部装置５０は、外部インタフェース２０を介して通信処理部１００とデータの送受信をするなど、非接触ＩＣカード部１０に対してアクセスしない場合も考えられる。このような場合には、外部インタフェース２０からのシリアルコマンドを制御処理部１が第１の通信部７を介して認識して、通信処理部１００へのアクセスであるか、あるいは非接触ＩＣカード部１０へのアクセスであるか等を判断して、適宜処理を行うようにすればよい。例えば非接触通信部接続モード時に制御処理部１へのシリアルコマンド等があった場合には、非接触通信部解除モードへ切り替えるようにしても良い。
【００４７】
第１の実施形態では、外部インタフェース２０と第１の通信部７、非接触ＩＣカード部１０と第２の通信部４の接続をそれぞれ切り替える切替えスイッチ３０、３１、３２を設け、これらの切替えスイッチ３０、３１、３２の切り替えによって外部インタフェース２０と非接触ＩＣカード部１０とを通信処理部１００を迂回して接続し、直接的にアクセス可能とする非接触通信部接続モードを備えている。これにより、非接触通信部接続モードの場合は、外部装置５０から外部インタフェース２０を介して非接触ＩＣカード部１０に対して直接データ通信が可能となり、非接触ＩＣカード部１０にデータを書き込んだり、非接触ＩＣカード部１０のデータを読み出す等の制御を容易に行うことができる。
【００４８】
特に、この第１の実施形態では、外部装置５０から外部インタフェース２０に入力されたモード切替コマンドを制御処理部１が認識し、入出力ポート６からスイッチ切替え信号ＰＳＷを出力して非接触通信部接続モードへ切り替えるようにしたので、従来より設けられる外部インタフェースと同様のものを用いることができる。このため、制御処理部１を動作させるＲＯＭ２内のプログラムに対しスイッチ切替え信号制御のためのソフトウェアの設計や変更等が必要になるものの、外部インタフェース２０の回路やコネクタ等のハードウェアはそのまま使用でき、コストをあまりかけずに非接触ＩＣカード部１０を外部から制御可能にすることができる。
【００４９】
従来では、例えば携帯電話装置に非接触ＩＣカード部を搭載する場合、非接触ＩＣカード部の機能追加や変更まで想定されておらず、出荷処理書き込みした非接触ＩＣカード部を単に組み込んでいた。この場合、後で出荷処理時の設定を書き換えるためには、非接触ＩＣカード部に対して外部から直接アクセスできないため、携帯電話装置を分解して非接触ＩＣカード部を取出して機能追加、変更したりする必要があった。また、外部装置を接続して書き換えようとしても、内部の制御処理部等の処理を介して非接触ＩＣカード部に対しデータ通信を行う必要があり、手間や時間がかかってしまう。
【００５０】
これに対し、本実施形態によれば、通信処理部１００を介在させずに、外部インタフェース２０と非接触ＩＣカード部１０とを接続し、外部装置５０から外部インタフェース２０を介して直接非接触ＩＣカード部１０に対してデータの書き込み、読み出しを可能とすることで、通信処理部１００における処理時間も省くことができ、非接触ＩＣカード部１０の機能追加、変更を簡単かつ迅速に行うことができる。
【００５１】
なお、上述した第１の実施形態では、制御処理部１が外部インタフェース２０からの非接触ＩＣカード部１０へ直接アクセスするためのシリアルコマンド（モード切替コマンド）を検出した場合、直ちに入出力ポート６に指示を出し、スイッチ切替え信号ＰＳＷとしてハイレベルを出力させて切替えスイッチ３０、３１、３２を切り替え、非接触通信部接続モードにしているが、これに限るものではない。例えば、外部インタフェース２０に外部装置５０が接続された際、制御処理部１が外部インタフェース２０における信号等によって接続状態を検知して、表示部２１に非接触通信部接続モードへ移行するか否かの確認画面を表示し、作業者に非接触通信部接続モードへ移行するか否かを確認させ、作業者の操作入力によって動作モードを切り替えるようにすることも可能である。この場合は、作業者が操作部２２等により非接触通信部接続モードへの移行を選択したときに、制御処理部１が入出力ポート６に指示を出して切替えスイッチ３０、３１、３２にスイッチ切替え信号を出力させ、スイッチ端子の接続を切り替えることになる。
【００５２】
（第２の実施形態）
図２は、本発明の第２の実施形態に係る携帯電話装置の構成を示す図である。第２の実施形態の携帯電話装置の構成は、図１に示した第１の実施形態の携帯電話装置の構成とほぼ同様であり、異なる点のみ詳細に説明する。
【００５３】
第２の実施形態は、切替えスイッチ３０、３１、３２の各制御端子Ｓに入力するスイッチ切替え信号用の信号線１４０の経路を変更し、外部インタフェース４０と接続した例である。上述した第１の実施形態では、外部インタフェース２０から出力されるシリアルコマンドによるモード切替コマンドを第１の通信部７を介して制御処理部１が処理し、入出力ポート６から出力するスイッチ切替え信号ＰＳＷによって各切替えスイッチ３０、３１、３２を切り替えて非接触通信部接続モードへ移行するようにしているのに対し、第２の実施形態では、外部インタフェース４０からのスイッチ切替え信号ＨＳＷにより、直接各切替えスイッチ３０、３１、３２を切り替えて非接触通信部接続モードへ移行するようにしている。
【００５４】
外部インタフェース４０に外部装置５０が接続され、外部装置５０からの制御コマンドとして非接触通信部接続モードへのモード切替コマンドが入力されると、外部インタフェース４０は、このモード切替コマンドを検知し、各切替えスイッチ３０、３１、３２の制御端子Ｓに接続される信号線１４０にスイッチ切替え信号ＨＳＷを出力し、信号線１４０をＬからＨに切り替える。
【００５５】
これにより、信号線１４０を介し切替スイッチ３０、３１、３２の制御端子Ｓに供給されるスイッチ切替え信号ＨＳＷがＬからＨになり、各切替えスイッチ３０、３１、３２の切替端子がＢ接点側からＡ接点側に切り替わり、非接触通信部接続モードになる。
【００５６】
この場合も、第１の実施形態と同様に、非接触通信部接続モードにおいて、外部装置５０より外部インタフェース４０を介して非接触ＩＣカード部１０に対して直接データ通信を行い、通信処理部１００における処理を介さずに、書き込み、読み出し等を行うことができる。
【００５７】
そして、作業者の終了操作等により、外部装置５０から制御コマンドとして非接触通信部解除モードへのモード切替コマンドが外部インタフェース４０に入力されると、外部インタフェース４０は、信号線１４０へ出力するスイッチ切替え信号ＨＳＷをＨからＬに切り替える。これにより、信号線１４０を介し切替えスイッチ３０、３１、３２の制御端子Ｓに供給されるスイッチ切替え信号ＨＳＷがＨからＬになり、各切替えスイッチ３０、３１、３２の切替端子がＡ接点側からＢ接点側に切り替わり、非接触通信部解除モードになる。なお、外部装置５０が外部インタフェース４０から取り外されて非接続状態になった場合も、同様にスイッチ切替え信号ＨＳＷがＬになるようにしてもよい。
【００５８】
第２の実施形態では、第１の実施形態と同様に、非接触通信部接続モードの場合は、外部装置５０から外部インタフェース４０を介して非接触ＩＣカード部１０に対して直接データ通信が可能となり、非接触ＩＣカード部１０にデータを書き込んだり、非接触ＩＣカード部１０のデータを読み出す等の制御を容易に行うことができる。
【００５９】
特に、この第２の実施形態では、外部インタフェース４０に新たに設けたモード切替え信号用の端子よりスイッチ切替え信号ＨＳＷを直接出力して各切替えスイッチ３０、３１、３２を切り替えるようにしたので、第１の実施形態の場合と比較して、動作モードの切替え処理において、制御処理部１による処理を介さずにモードの切替処理を行い、より迅速に非接触通信部接続モードへ切り替えて、非接触ＩＣカード部１０を制御することができるという効果がある。
【００６０】
すなわち、第２の実施形態によれば、外部インタフェース４０においてスイッチ切替え信号ＨＳＷのための信号線を追加する必要があるものの、動作モードの切替え時に外部インタフェース４０と制御処理部１との間での信号のやり取りが不要であり、外部インタフェース４０から直接動作モードの切替え制御を行うことができ、高速に非接触通信部接続モードへ切り替えることが可能である。またこの場合、非接触通信部接続モードへの切り替え制御が簡単になる。
【００６１】
なお、第２の実施形態において、外部インタフェース４０に外部装置５０が接続されたときに、外部インタフェース４０が接続状態を検知して、スイッチ切替え信号ＨＳＷを出力して各切替えスイッチ３０、３１、３２を切り替え、非接触通信部接続モードに切り替えるようにすることも可能である。
【００６２】
上記第１及び第２の実施形態では、携帯電話装置に非接触ＩＣカード部１０を内蔵した構成によって説明したが、これに限らず、非接触ＩＣカード部１０を着脱自在に構成した場合でも、本発明を同様に適用可能である。この場合には、非接触ＩＣカード部１０と切替えスイッチ３０、３１との間に非接触ＩＣカード接続用のインタフェースを設けるようにすればよい。
【００６３】
また、非接触通信部接続モード／非接触通信部解除モードの切り替えのために、外部インタフェースからのシリアルコマンドやスイッチ切替え信号ＨＳＷを用いたが、他の信号を用いて動作モードを切り替えることもできる。例えば、操作部２２におけるキー入力等の特定の操作入力等により入出力ポート６からスイッチ切替え信号ＰＳＷを出力させるように構成してもよいし、特定の操作入力等があった際に表示部２１に動作モードを切替えるか否かの確認画面等を表示して、作業者に動作モードを切り替えるか否かを選択させるようにしても良い。つまり、何らかのトリガによって非接触ＩＣカード部１０に対する接続を切り替えて、外部装置５０による非接触ＩＣカード部１０へのアクセスを、通信処理部１００を迂回して直接行えるようにすればよい。
【００６４】
また、上記実施形態では、非接触ＩＣカードを携帯電話装置に搭載した例を説明したが、非接触通信部としては、カード型のものだけでなく、いわゆる電子タグ、ＩＣタグ、ＲＦ−ＩＤ、ＲＦタグ等と呼ばれる非接触でデータ通信を行うタグ型の非接触ＩＣなども勿論含まれる。要は、非接触でデータ通信を行うＩＣ等により構成されるものであれば、カード型やタグ型に限らず全ての媒体が含まれる。
【００６５】
また、上記実施形態では、通信装置として携帯電話装置を一例に説明したが、これに限らず、通信機能を有する携帯情報端末（ＰＤＡ）等にも適用可能である。すなわち、他の通信装置との間で通信を行うと共に、非接触ＩＣカード部に対しデータの読み書き行い、外部インタフェースを介して外部装置との間でデータの送受信が可能な通信処理部を有する通信装置であれば、種々の装置に適用できる。
【産業上の利用可能性】
【００６６】
本発明は、通信装置に内蔵や装着等された非接触ＩＣカード部等の非接触通信部を、ＰＣ等の外部装置により外部インタフェースを介して簡単かつ迅速に制御することができる効果を有し、他の通信装置との間で通信を行うと共に、内蔵や装着等された非接触ＩＣカード部に対しデータ通信が可能で、さらに、外部インタフェースを介してＰＣ等の外部装置を接続可能な情報端末装置や携帯電話装置等に適用される通信装置等に有用である。
【図面の簡単な説明】
【００６７】
【図１】本発明の第１の実施形態に係る携帯電話装置の構成を示す図
【図２】本発明の第２の実施形態に係る携帯電話装置の構成を示す図
【符号の説明】
【００６８】
１  制御処理部（ＣＰＵ）
２  ＲＯＭ
３  ＲＡＭ
４  第２の通信部（ＵＡＲＴ２）
５  キー／ディスプレイインタフェース（ＫＥＹ／ＬＣＤ  ＩＦ）
６  入出力ポート（ＰＩＯ）
７  第１の通信部（ＵＡＲＴ１）
８  内部バス
１０  非接触ＩＣカード部
２０、４０  外部インタフェース
２１  表示部
２２  操作部
３０、３１、３２  切替スイッチ
５０  外部装置
１００  通信処理部
１１０、１２０、１３０  信号線
【図１】
2005079964.tif 000003
【図２】
2005079964.tif 000004